(57)【要約】      （修正有）【課題】複数のキーの集中管理を容易に行うことができるキー管理システムを提供する。【解決手段】キー管理システム１は、ベース板１２と、ベース板１２に設けられ、互いに異なる形状をもつ複数のキー収納部２０を有するキー管理ボックス１０と、キー２が取り付けられ、対応するキー収納部２０に挿着自在なキーホルダ３０と、を備えている。キー収納部２０は、ベース板１２に設けられ、キーホルダ３０が挿入される矩形状の挿入孔と、挿入孔の一の角部に設けられた切欠片と、を有している。キーホルダ３０は、直方体状のホルダ本体と、ホルダ本体の挿入方向先端部において、キー収納部２０の切欠片に対応して設けられた切欠部と、を有している。【選択図】図１
0003168184.tif 000002
【実用新案登録請求の範囲】
【請求項１】
キー管理システムにおいて、
ベース板と、前記ベース板に設けられ、互いに異なる形状をもつ複数のキー収納部を有するキー管理ボックスと、
前記キーが取り付けられ、対応する前記キー収納部に挿着自在なキーホルダと、を備え、
前記キー収納部は、前記ベース板に設けられ、前記キーホルダが挿入される矩形状の挿入孔と、前記挿入孔の一の角部に設けられた切欠片と、を有し、
前記キーホルダは、直方体状のホルダ本体と、前記ホルダ本体の挿入方向先端部において、前記キー収納部の前記切欠片に対応して設けられた切欠部と、を有していることを特徴とするキー管理システム。
【請求項２】
前記キー収納部の前記挿入孔に、内方に突出する突出片が設けられ、
前記キーホルダは、前記ホルダ本体の挿入方向先端部において、前記突出片に対応して設けられ、外方に突出する複数の突起部を有していることを特徴とする請求項１に記載のキー管理システム。
【請求項３】
前記キーホルダの複数の前記突起部は、前記ホルダ本体の側面および底面に設けられていることを特徴とする請求項２に記載のキー管理システム。
【請求項４】
前記キー収納部の各々に対応して設けられ、前記キーホルダの挿着の有無を検知する検知部と、
前記検知部の各々に接続され、前記検知部からの信号に基づいて前記キーホルダの挿着履歴を記録する履歴記録部と、を更に備えたことを特徴とする請求項１乃至３のいずれかに記載のキー管理システム。
【請求項５】
前記検知部は、検知光を発する発光部と、前記発光部に対向して当該検知光を受ける受光部と、を有し、
前記キーホルダの前記ホルダ本体の挿入方向先端面に、前記検知部の検知対象となる被検知片が設けられ、
前記キーホルダを前記キー収納部に挿着した際、前記キーホルダの前記被検知片が、前記検知部の前記発光部と前記受光部との間に挿入され、前記発光部からの検知光が遮蔽されることを特徴とする請求項４に記載のキー管理システム。
【請求項６】
前記キーホルダを前記キー収納部に装着した際、当該キーホルダを係止する係止バネを更に備えたことを特徴とする請求項１乃至５のいずれかに記載のキー管理システム。
【請求項７】
前記キーホルダに、複数の前記キーが取り付けられていることを特徴とする請求項１乃至６のいずれかに記載のキー管理システム。
【考案の詳細な説明】
【技術分野】
【０００１】
本考案は、キーを管理するキー管理システムに関する。
【背景技術】
【０００２】
ビルやマンションなどにおいて、各部屋の出入口などを施錠するための多数のキーは、キー管理ボックスなどに保管されて集中管理されるようになっている。キー管理ボックスは、例えば、事務所などに据え置く据置タイプ、あるいは、車などで持ち運び可能な車載タイプなどがある。このようなキー管理ボックスには、複数のキー収納部が設けられており、各キー収納部に、キーが取り付けられたキーホルダが挿着されて、多数のキーが保管されるようになっている。
【考案の概要】
【考案が解決しようとする課題】
【０００３】
しかしながら、キーホルダを所定のキー収納部とは異なるキー収納部に挿着させてしまう場合がある。この場合、多数のキーの中から必要なキーを見つけ出すことが困難になり、多数のキーを管理する上で不都合が生じていた。
【０００４】
本考案は、このような点を考慮してなされたものであり、複数のキーの集中管理を容易に行うことができるキー管理システムを提供することを目的とする。
【課題を解決するための手段】
【０００５】
本考案は、キー管理システムにおいて、ベース板と、前記ベース板に設けられ、互いに異なる形状をもつ複数のキー収納部を有するキー管理ボックスと、前記キーが取り付けられ、対応する前記キー収納部に挿着自在なキーホルダと、を備え、前記キー収納部は、前記ベース板に設けられ、前記キーホルダが挿入される矩形状の挿入孔と、前記挿入孔の一の角部に設けられた切欠片と、を有し、前記キーホルダは、直方体状のホルダ本体と、前記ホルダ本体の挿入方向先端部において、前記キー収納部の前記切欠片に対応して設けられた切欠部と、を有していることを特徴とするキー管理システムを提供する。
【０００６】
なお、上述したキー管理システムにおいて、前記キー収納部の前記挿入孔に、内方に突出する突出片が設けられ、前記キーホルダは、前記ホルダ本体の挿入方向先端部において、前記突出片に対応して設けられ、外方に突出する複数の突起部を有している、ことが好ましい。
【０００７】
また、上述したキー管理システムにおいて、前記キーホルダの複数の前記突起部は、前記ホルダ本体の側面および底面に設けられている、ことが好ましい。
【０００８】
また、上述したキー管理システムにおいて、前記キー収納部の各々に対応して設けられ、前記キーホルダの挿着の有無を検知する検知部と、前記検知部の各々に接続され、前記検知部からの信号に基づいて前記キーホルダの挿着履歴を記録する履歴記録部と、を更に備えた、ことが好ましい。
【０００９】
また、上述したキー管理システムにおいて、前記検知部は、検知光を発する発光部と、前記発光部に対向して当該検知光を受ける受光部と、を有し、前記キーホルダの前記ホルダ本体の挿入方向先端面に、前記検知部の検知対象となる被検知片が設けられ、前記キーホルダを前記キー収納部に挿着した際、前記キーホルダの前記被検知片が、前記検知部の前記発光部と前記受光部との間に挿入され、前記発光部からの検知光が遮蔽される、ことが好ましい。
【００１０】
また、上述したキー管理システムにおいて、前記キーホルダを前記キー収納部に装着した際、当該キーホルダを係止する係止バネを更に備えた、ことが好ましい。
【００１１】
また、上述したキー管理システムにおいて、前記キーホルダに、複数の前記キーが取り付けられている、ことが好ましい。
【考案の効果】
【００１２】
本考案によれば、キー収納部の挿入孔の一の角部に切欠片が設けられ、キーホルダのホルダ本体には、当該切欠片に対応する切欠部が設けられている。このことにより、キーホルダが挿着されるべきキー収納部を特定することができ、キーホルダが、対応しない他のキー収納部に誤って挿着されることを防止することができる。このため、複数のキーの集中管理を容易に行うことができる。
【図面の簡単な説明】
【００１３】
【図１】図１は、本考案の実施の形態におけるキー管理システムの全体構成を示す斜視図である。
【図２】図２は、本考案の実施の形態におけるキー管理システムにおいて、キー収納部の挿入孔の一例を拡大して示す正面図である。
【図３】図３（ａ）は、本考案の実施の形態におけるキー管理システムにおいて、９つの突起部が設けられたキーホルダを示す斜視図であり、図３（ｂ）は、図２に示すキー収納部の挿入孔に対応するキーホルダの挿入方向先端部を示す図である。
【図４】図４は、本考案の実施の形態におけるキー管理システムにおいて、キー収納部にキーホルダが装着された状態を示す側面図である。
【図５】図５は、本考案の実施の形態におけるキー管理システムにおいて、キーホルダに取り付けられたキーを示す図である。
【図６】図６は、本考案の実施の形態におけるキー管理システムにおいて、キー収納部にキーホルダが装着された状態を示す正面図である。
【考案を実施するための形態】
【００１４】
以下、図面を参照して、本考案の実施の形態におけるキー管理システムについて説明する。まず、図１により、キー管理システムの全体構成について説明する。
【００１５】
図1に示すように、キー管理システム１は、縦方向および横方向に配列され、互いに異なる形状をもつ複数のキー収納部２０を有するキー管理ボックス１０と、キー２が取り付けられ、対応するキー収納部２０に挿着自在なキーホルダ３０と、を備えている。このうち、キー管理ボックス１０には、開閉自在な扉１１が設けられており、この扉１１は、閉じている間、キー管理ボックス１０にロックされ、ＩＣカードなどを用いて開けることができるようになっている。このような扉１１を有するキー管理ボックス１０は、事務所などに据え置く据置タイプとして使用することもでき、あるいは、車などで持ち運び可能な車載タイプとして使用することもできる。
【００１６】
キー管理ボックス１０は、キー収納部２０が設けられるベース板１２と、このベース板１２の後方に設けられ、後述する検知部４０が取り付けられる検知板１３（図４参照）と、を有している。このうちベース板１２には、キーホルダ３０の挿着時にキーホルダ３０のホルダ本体３１（後述）が挿入される矩形状の複数の挿入孔２１が設けられている。挿入孔２１の一の角部には、切欠片２２が設けられており、挿入孔２１の形状は、矩形状の孔の一の角部が切り欠かれた形状となっている。また、挿入孔２１には、内方に突出する４つの突出片２３が設けられており、各突出片２３は、対応するキーホルダ３０の突起部３４（後述）に対応するように配置されている。これら切欠片２２および突出片２３の配置は、キー収納部２０ごとに異なっており、このようにして、各キー収納部２０が互いに異なる形状をもち、キーホルダ３０が、対応するキー収納部２０のみに挿着されるようになっている。このような切欠片２２および突出片２３は、ベース板１２に一体に形成されている。
【００１７】
図３（ａ）に示すように、キーホルダ３０は、直方体状のホルダ本体３１と、ホルダ本体３１の挿入方向先端部において、挿入孔２１の切欠片２２に対応して設けられた切欠部３２と、を有している。本実施の形態においては、ホルダ本体３１の挿入方向先端部において、各角部から外方に突出する突起角部３３が設けられており、このうち一の突起角部３３に、切欠部３２が設けられている。
【００１８】
また、キーホルダ３０は、ホルダ本体３１の挿入方向先端部において、挿入孔２１の突出片２３に対応して設けられ、外方に突出する複数の突起部３４を有している。各突起部３４は、ホルダ本体３１の挿入方向先端部において、ホルダ本体３１の２つの側面および下面に設けられている。すなわち、ホルダ本体３１の側面に形成された各突起部３４は、当該側面から側方に突出するように形成され、ホルダ本体３１の底面に形成された各突起部３４は、当該底面から下方に突出するように形成されている。このようなキーホルダ３０は、図３（ａ）に示すように、９つの突起部３４を有するキーホルダ３０をモールド成型によって作製し、対応するキー収納部２０の挿入孔２１に設けられた突出片２３に対応させるように、９つの突起部３４のうち４つの突起部３４を折損することにより得ることができる。このようにして、キーホルダ３０を、対応するキー収納部２０の挿入孔２１のみに挿入可能に構成することができる。一例として、図３（ｂ）に、図２に示すキー収納部２０の挿入孔２１に対応するキーホルダ３０の挿入方向先端部の形状を示す。
【００１９】
このようにして、キーホルダ３０のホルダ本体３１の一の角部に切欠部３２を設けることと、９つの突起部３４のうち４つの突起部３４を折損すること、とにより、５０４通りのキーホルダ３０の形状パターンを得ることができる。このため、本実施の形態におけるキー管理システム１においては、キー収納部２０とキーホルダ３０との組み合わせパターンを、５０４通り形成することができ、多数のキー２の集中管理を容易に行うことができる。
【００２０】
図３（ａ）に示すように、ホルダ本体３１の挿入方向先端面には、先端凹部３５が設けられ、この先端凹部３５内に、後述する検知部４０の検知対象となる被検知片３６が設けられている。このように、被検知片３６が先端凹部３５内に設けられることにより、被検知片３６が破損することを防止するようになっている。また、ホルダ本体３１の上面には、挿着時に後述する係止バネ５０（図４参照）により係止される係止凹部３７が設けられている。さらに、ホルダ本体３１の挿入方向後端部には、キーホルダ３０の挿着または取り出し時に把持するための把持部３８が設けられ、この把持部３８に、後述する柔軟性紐６０を取り付けるための取付穴３９が設けられている。
【００２１】
なお、キー管理ボックス１０のベース板１２と検知板１３との間には、挿着されたキーホルダ３０を保持するホルダ保持部材（図示せず）が設けられており、キー収納部２０に挿着されたキーホルダ３０は、ホルダ保持部材によって保持されるようになっている。
【００２２】
図４に示すように、各キー収納部２０に対応して、キーホルダ３０の挿着の有無を検知する検知部４０が設けられている。各検知部４０は、上述したキー管理ボックス１０の検知板１３に設けられ、検知光を発する発光部４１と、発光部４１に対向し、検知光を受ける受光部４２と、を有しており、キーホルダ３０をキー収納部２０に挿着した際、キーホルダ３０の被検知片３６が、検知部４０の発光部４１と受光部４２との間に挿入され、発光部４１からの検知光が被検知片３６によって遮蔽され、キーホルダ３０が挿着されたことを検出するようになっている。
【００２３】
検知部４０には、キー管理ボックス１０内に設けられた履歴記録部（図示せず）が接続されており、履歴記録部は、検知部４０からの信号に基づいて各キーホルダ３０の挿着履歴を記録するようになっている。ここで、キー管理ボックス１０が据置タイプの場合には、この履歴記録部に、例えば、コンピュータ（図示せず）などを接続して、そのモニターに、各キーホルダ３０の挿着状況を表示させるようにしてもよい。この場合、扉１１を開けなくてもキー２の保管状況を確認することができる。キー管理ボックス１０が車載タイプの場合には、履歴記録部に記録された挿着履歴データを取り出すことができる端末をキー管理ボックス１０に設けておくことにより、各キーホルダ３０の挿着状況を外部のコンピュータなどで確認することができる。また、キー管理ボックス１０内に、警報発信部を設けて、この警報発信部に履歴記録部を接続することにより、キーホルダ３０が取り出されて所定時間経過した後に、警報を発して、キー２が長時間取り出された状態となることを防止するようにしてもよい。なお、図４においては、上方に発光部４１を、下方に受光部４２を配置して縦方向に並列させた形態を示しているが、これとは逆の配置としてもよく、あるいは、横方向に並列させるようにしてもよい。
【００２４】
キー管理ボックス１０のベース板１２には、キーホルダ３０がキー収納部２０に装着されている場合に、当該キーホルダ３０を係止する係止バネ５０が設けられている。この係止バネ５０は、その先端側において、対応するホルダ本体３１に向かって凸形状となる凸部５１が形成された板ばねとして構成されており、キー収納部２０に挿着されたキーホルダ３０の係止凹部３７に入り込み、キーホルダ３０の抜け止めとして機能している。
【００２５】
図５に示すように、キーホルダ３０には、柔軟性紐６０およびかしめリング（硬性リング）６１をこの順に介在させて、複数のキー２が取り付けられている。このうち、柔軟性紐６０は、キーホルダ３０の把持部３８に設けられた取付穴３９に取り付けられている。柔軟性紐６０およびかしめリング６１に用いられる材料は限定されるものではないが、このうち、柔軟性紐６０としては、例えば、ベクトラン（登録商標）という繊維からなる紐を用いることができ、あるいは、ウレタン製の紐とすることもできる。また、かしめリング６１は、好ましくは、真鍮（黄銅）により作製されたものとすることができ、キー２を通した後にかしめることにより、キー２を取り付けるようになっている。なお、本実施の形態においては、２つのキー２が取り付けられているが、取り付けられるキー２の個数は２つに限られることはない。
【００２６】
図４および図６に示すように、各キー収納部２０の上方には、キーホルダ３０をキー収納部２０に挿着した際、かしめリング６１を係止するフック７０が設けられている。また、かしめリング６１は、キーホルダ３０を通すことができるように構成されており、キーホルダ３０をキー収納部２０に挿着した際、かしめリング６１にキーホルダ３０を通して、かしめリング６１がフック７０に係止されるようになっている。
【００２７】
また、フック７０は、支持台７１を有しており、上方にキー収納部２０が配置された支持台７１は、図６に示すように、その上方のキー収納部２０にキーホルダ３０が挿着された際、当該キーホルダ３０に取り付けられたキー２を支持するようになっている。
【００２８】
次に、このような構成からなる本実施の形態の作用、すなわち本実施の形態によるキー管理システム１の使用方法について説明する。
【００２９】
取り出していたキー２をキー管理ボックス１０に保管する場合、まず、キー管理ボックス１０に取り付けられた扉１１（図１参照）が、ＩＣカードなどによって開けられる。
【００３０】
続いて、キー２が取り付けられたキーホルダ３０が、対応するキー収納部２０に挿着される。この場合、まず、ホルダ本体３１（図３（ａ）参照）の挿入方向先端部が、キー収納部２０の挿入孔２１（図２参照）に挿入される。この際、ホルダ本体３１の挿入方向先端部に設けられた切欠部３２および突起部３４が、対応するキー収納部２０の挿入孔２１に設けられた切欠片２２および突出片２３に干渉することがないため、ホルダ本体３１の挿入方向先端部を、挿入孔２１にスムースに挿入させることができる。その後、さらに、ホルダ本体３１を挿入方向に押し込むことにより、ホルダ本体３１が所定の位置まで挿入されて、キーホルダ３０がキー収納部２０に挿着される。
【００３１】
この際、係止バネ５０の凸部５１が、ホルダ本体３１に設けられた係止凹部３７（図３（ａ）参照）に入り込み、係止バネ５０（図４参照）によってキーホルダ３０が係止される。また、ホルダ本体３１に設けられた被検知片３６が、検知部４０の発光部４１と受光部４２との間に挿入され、発光部４１と受光部４２との間において検知光が遮蔽されて、当該キーホルダ３０がキー収納部２０に挿着されたことが検知される。このことにより、当該キーホルダ３０がキー収納部２０に挿着された旨の信号が、検知部４０から履歴記録部（図示せず）に送られ、履歴記録部に、キーホルダ３０の挿着履歴が記録される。
【００３２】
このようにして、キーホルダ３０がキー収納部２０に挿着される。
【００３３】
次に、キー２とキーホルダ３０との間に介在されているかしめリング６１に、当該キーホルダ３０を通して、かしめリング６１がキー収納部２０の上方に設けられたフック７０に係止される。続いて、装着された当該キーホルダ３０のキー２が、下方に配置されたフック７０の支持台７１に支持される。その後、扉１１が閉められてロックされ、キー２が保管される。
【００３４】
次に、キー管理ボックス１０からキー２を取り出す場合について説明する。この場合、まず、キー管理ボックス１０に取り付けられた扉１１が、ＩＣカードなどによって開けられる。
【００３５】
続いて、取り出したいキー２が取り付けられたキーホルダ３０が、挿着されていたキー収納部２０から取り出される。この場合、係止バネ５０の凸部５１が、その付勢力に対抗してホルダ本体３１の係止凹部３７の形状に沿って持ち上げられる、このことにより、係止バネ５０の凸部５１が、ホルダ本体３１の係止凹部３７から外れ、ホルダ本体３１を挿入孔２１から引き出すことができる。また、ホルダ本体３１に設けられた被検知片３６が、検知部４０の発光部４１と受光部４２との間から引き出され、発光部４１からの検知光が受光部４２に達し、当該キーホルダ３０が取り出されたことが検知される。このことにより、当該キーホルダ３０が取り出された旨の信号が、検知部４０から履歴記録部に送られ、履歴記録部に、キーホルダ３０の挿着履歴が記録される。
【００３６】
このようにして、所望のキーホルダ３０がキー収納部２０から取り出される。なお、キーホルダ３０を取り出した後、扉１１が閉められてロックされ、他のキー収納部２０に装着されているキー２は保管される。
【００３７】
このように本実施の形態によれば、キー収納部２０の挿入孔２１の一の角部に切欠片２２が設けられ、キーホルダ３０のホルダ本体３１には、当該切欠片２２に対応する切欠部３２が設けられている。このことにより、キーホルダ３０が挿着されるべきキー収納部２０を特定することができ、キーホルダ３０が、対応しない他のキー収納部２０に誤って挿着されることを防止することができる。このため、複数のキー２の集中管理を容易に行うことができる。とりわけ、本実施の形態においては、キー収納部２０の挿入孔２１に、内方に突出する突出片２３が設けられ、キーホルダ３０のホルダ本体３１には、当該突出片２３に対応する突起部３４が設けられている。このため、キー収納部２０とキーホルダ３０との組み合わせのパターンを、多数形成することができ、キー管理ボックス１０で管理すべきキー２の数が多い場合であっても、これらのキー２の集中管理を容易に行うことができる。この場合、例えば、ＩＣタグ、ＩＣカードなどのＲＦＩＤによる識別手段を用いてキーボックス３０の誤挿着を防止する場合に比べて、安価なキー管理システム１を提供することができる。
【００３８】
また、本実施の形態によれば、各キー収納部２０に、発光部４１と受光部４２とを有し、キーホルダ３０の挿着の有無を検知する検知部４０が設けられ、キーホルダ３０のホルダ本体３１の挿入方向先端面に、検知部４０の検知対象となる被検知片３６が設けられている。このことにより、キーホルダ３０がキー収納部２０に挿着された場合、キーホルダ３０の被検知片３６が、検知部４０の発光部４１と受光部４２との間に挿入されて、発光部４１からの検知光が遮蔽され、キーホルダ３０がキー収納部２０に挿着されたことを検知することができる。一方、キーホルダ３０がキー収納部２０から取り出された場合、キーホルダ３０の被検知片３６が、検知部４０の発光部４１と受光部４２との間から引き出されるため、発光部４１からの検知光が受光部４２に達し、キーホルダ３０がキー収納部２０から取り出されたことを検知することができる。そして、このようなキーホルダ３０の挿着履歴は、履歴記録部に記録されるため、各キーホルダ３０の過去の使用状況を確実に把握することができる。
【００３９】
また、本実施の形態によれば、キー収納部２０の上方に、キーホルダ３０を当該キー収納部２０に挿着した際、かしめリング６１を係止するフック７０が設けられている。このことにより、保管されているキー２を、キーホルダ３０ではなく、フック７０によって係止することができ、キー２の自重による応力がキーホルダ３０に負荷されることを防止することができる。このため、キーホルダ３０およびキー収納部２０の変形または破損を防止し、キー管理システム１の信頼性を向上させることができる。とりわけ、キー管理ボックス１０が、車の揺れ、振動などにより、キーホルダ３０に応力が負荷される車載タイプとして使用される場合、効果的である。
【００４０】
また、本実施の形態によれば、キーホルダ３０をキー収納部２０に挿着した際、かしめリング６１にキーホルダ３０を通して、当該かしめリング６１がフック７０に係止される。このため、かしめリング６１に取り付けられたキー２を、安定して保管することができ、キーホルダ３０にキー２の自重による応力が負荷されることを確実に防止することができる。
【００４１】
さらに、本実施の形態によれば、上方にキー収納部２０が配置されたフック７０の支持台７１に、その上方のキー収納部２０に挿着されたキーホルダ３０のキー２が支持される。このことにより、保管されているキー２を、その下方に設けられているフック７０の支持台７１により支持することができ、キーホルダ３０にキー２の自重による応力が負荷されることを確実に防止することができる。
【００４２】
以上、本考案の実施の形態について詳細に説明してきたが、本考案によるキー管理システムは、上記実施の形態に何ら限定されるものではなく、本考案の趣旨を逸脱しない範囲において種々の変更が可能である。
【００４３】
例えば、キー収納部２０の挿入孔２１に設けられる突出片２３の個数は、保管されるキー２の個数に応じて、任意とすることができる。さらには、場合によっては、このような突出片２３を設けなくても、切欠片２２によってのみ、キーホルダ３０の誤挿着防止を行ってもよい。
【符号の説明】
【００４４】
１      キー管理システム
２      キー
１０    キー管理ボックス
１１    扉
１２    ベース板
１３    検知板
２０    キー収納部
２１    挿入孔
２２    切欠片
２３    突出片
３０    キーホルダ
３１    ホルダ本体
３２    切欠部
３３    突起角部
３４    突起部
３５    先端凹部
３６    被検知片
３７    係止凹部
３８    把持部
３９    取付穴
４０    検知部
４１    発光部
４２    受光部
５０    係止バネ
５１    凸部
６０    柔軟性紐
６１    かしめリング
７０    フック
７１    支持台
【図１】
0003168184.tif 000003
【図２】
0003168184.tif 000004
【図３】
0003168184.tif 000005
【図４】
0003168184.tif 000006
【図５】
0003168184.tif 000007
【図６】
0003168184.tif 000008